(57)【要約】【課題】扉が不正に開かれることを防止するとともに、不測の事態においても機器を破壊することなく扉を開くことができるようにする。【解決手段】解除レバー２４１の内部には、内部レバー２３１が配置されている。穴２３１ａと、凸部２１４ａとが係合した状態で、内部レバー２３１は、穴２３１ａを支点として回動可能となるように取り付けられており、また、台枠前ベース２０１、解除レバー２４１、およびシャフト２５１と２５２によりヒンジが構成されるので、解除レバー２４１は、シャフト２５１が挿入された穴２４１ａの位置を支点として図中左側の端部が台枠４０２から浮き上がるように押し上げられて、台枠後ベース２１１の台枠前ベース２０１に対する結合を緩やかなものとし、台枠後ベース２１１を、簡単に台枠４０２から取り外すことが可能となる。【選択図】図１０
2007289264.tif 000002
【特許請求の範囲】
【請求項１】
扉に取り付けられたフック保持部と、台枠に取り付けられたハウジングにより、閉められた前記扉が前記台枠に固定されて動かされないようにするロック装置であって、
前記フック保持部は、
前記ハウジングに係止される先端部に至る面が前記ハウジングに対して傾斜するように形成されているフックと、前記ハウジングに対する前記フックの係止を解除する場合、前記扉に取り付けられたシリンダ錠の背面のカムと当接する端部と一体に構成されるロックレバーと、
前記ロックレバーを付勢するバネと、
前記ロックレバーが前記ハウジングに係止されるかまたはその係止が解除されるように、前記ロックレバーを回動可能に軸支するベースとを備え、
前記ハウジングは、
前記台枠の前面に対して固定される台枠前ベースと、
前記台枠前ベースの一部と、第１のシャフトにより結合され、前記第１のシャフトの位置を支点として回動可能に構成される解除レバーと、
一方の端部が前記解除レバーの一部と、第２のシャフトにより結合され、前記第２のシャフトの位置を支点として回動可能に構成される内部レバーと、
前記内部レバーの他方の端部と係合する凸部を有し、前記台枠の背面に当接して前記台枠前ベースとともに前記台枠を前後から挟みつけるアームと一体に構成される台枠後ベースとを備え、
前記扉が閉められるとき、前記フックの傾斜している面が前記台枠後ベースの一部と当接して、軸支されている前記ロックレバーが回動することで前記フックが前記台枠後ベースの内部に挿入され、前記フックの先端部が前記台枠後ベースの一部に係止され、
前記解除レバーを、前記第１のシャフトの位置を支点として回動させることで、前記台枠後ベースが前記台枠から取り外される
ロック装置。
【請求項２】
前記凸部は、ナットの一部として構成され、
前記台枠後ベースに前記ナットが装着されたビスが取り付けられて固定される
請求項１に記載のロック装置。
【請求項３】
前記ロックレバーの端部の位置が、シリンダ錠の開錠に伴って回動される前記カムにより移動させられることで前記ロックレバーが回動され、前記フックの一部の前記台枠後ベースの一部に対する係止が解除される
請求項１に記載のロック装置。
【請求項４】
扉に取り付けられたフック保持部の一部を、自分の一部により係止することで、閉められた前記扉が、自分が取り付けられる台枠に固定されて動かされないようにするハウジングであって、
前記台枠の前面に対して固定される台枠前ベースと、
前記台枠前ベースの一部と、第１のシャフトにより結合され、前記第１のシャフトの位置を支点として回動可能に構成される解除レバーと、
一方の端部が前記解除レバーの一部と、第２のシャフトにより結合され、前記第２のシャフトの位置を支点として回動可能に構成される内部レバーと、
前記内部レバーの他方の端部と係合する凸部を有し、前記台枠の背面に当接して前記台枠前ベースとともに前記台枠を前後から挟みつけるアームと一体に構成される台枠後ベースとを備え、
前記扉が閉められるとき、前記フック保持部の一部が前記台枠後ベースの内部に挿入され、前記フック保持部の一部が前記台枠後ベースの一部により係止され、
前記解除レバーを、前記第１のシャフトの位置を支点として回動させることで、前記台枠後ベースが前記台枠から取り外される
ハウジング。
【請求項５】
前記凸部は、ナットの一部として構成され、
前記台枠後ベースに前記ナットが装着されたビスが取り付けられて固定される
請求項４に記載のハウジング。
【発明の詳細な説明】
【技術分野】
【０００１】
本発明は、ロック装置およびハウジングに関し、扉が不正に開かれることを防止するとともに、不測の事態においても機器を破壊することなく扉を開くことができるようにするロック装置およびハウジングに関する。
【背景技術】
【０００２】
遊技場の遊技機、いわゆる、パチンコ店のパチンコ台などには、第三者による、不正な操作を防止するための仕組みが用いられている。例えば、従来の遊技機は、遊技機に取り付けられたシリンダ錠などにより遊技機の扉が施錠された後、遊技機の扉を、遊技機の台枠に固定するために、シリンダ錠の施錠または開錠に伴って動作する竿が設けられており、遊技機の上部において、扉に固定された竿の一部が台枠と係合し、扉を台枠に固定するように構成されている。しかしながら、このような竿を用いて扉を台枠に固定している場合、扉と台枠のわずかな隙間から工具などが挿入され、扉が不正に開かれてしまうことが懸念されている。
【０００３】
そこで、遊技機などの扉が不正に開かれることがないように、扉を閉じるときに、扉に取付けられたメス部材の挿通孔に、台枠に取り付けられたオス部材の軸部が徐々に差込まれるとともに、スライド部材の差込部に軸部が差込まれ、係合部材を介してスライド部材が、付勢部材の付勢力に抗して奥側にスライドし、軸部の先端部が係合部材を越えてテーパを有する挿通孔に対して奥側に差込まれて軸部と挿通孔との嵌合状態が解除不能な状態にして固定する方式が提案されている（例えば、特許文献１参照。）。
【特許文献１】特開２００６−６１１８２号公報
【発明の開示】
【発明が解決しようとする課題】
【０００４】
しかしながら、特許文献１の技術では、例えば、扉の開施錠を行うシリンダ錠が開錠できない場合、遊技台の一部を破壊するなどしなければ扉を開くことができなくなってしまい、例えば、シリンダ錠の故障や鍵の破損など不測の事態が発生した場合、遊技機の稼動を継続することができなくなるおそれがある。
【０００５】
本発明は、このような状況に鑑みてなされたものであり、扉が不正に開かれることを防止するとともに、不測の事態においても機器を破壊することなく扉を開くことができるようにするものである。
【課題を解決するための手段】
【０００６】
本発明によるロック装置は、扉に取り付けられたフック保持部と、台枠に取り付けられたハウジングにより、閉められた扉が台枠に固定されて動かされないようにするロック装置であって、フック保持部は、ハウジングに係止される先端部に至る面がハウジングに対して傾斜するように形成されているフックと、ハウジングに対するフックの係止を解除する場合、扉に取り付けられたシリンダ錠の背面のカムと当接する端部と一体に構成されるロックレバーと、ロックレバーを付勢するバネと、ロックレバーがハウジングに係止されるかまたはその係止が解除されるように、ロックレバーを回動可能に軸支するベースとを備え、ハウジングは、台枠の前面に対して固定される台枠前ベースと、台枠前ベースの一部と、第１のシャフトにより結合され、第１のシャフトの位置を支点として回動可能に構成される解除レバーと、一方の端部が解除レバーの一部と、第２のシャフトにより結合され、第２のシャフトの位置を支点として回動可能に構成される内部レバーと、内部レバーの他方の端部と係合する凸部を有し、台枠の背面に当接して台枠前ベースとともに台枠を前後から挟みつけるアームと一体に構成される台枠後ベースとを備え、扉が閉められるとき、フックの傾斜している面が台枠後ベースの一部と当接して、軸支されているロックレバーが回動することでフックが台枠後ベースの内部に挿入され、フックの先端部が台枠後ベースの一部に係止され、解除レバーを、第１のシャフトの位置を支点として回動させることで、台枠後ベースが台枠から取り外されるロック装置である。
【０００７】
本発明のロック装置においては、フック保持部に、ハウジングに係止される先端部に至る面がハウジングに対して傾斜するように形成されているフックと、ハウジングに対するフックの係止を解除する場合、扉に取り付けられたシリンダ錠の背面のカムと当接する端部と一体に構成されるロックレバーと、ロックレバーを付勢するバネと、ロックレバーがハウジングに係止されるかまたはその係止が解除されるように、ロックレバーを回動可能に軸支するベースとが設けられ、ハウジングに、台枠の前面に対して固定される台枠前ベースと、台枠前ベースの一部と、第１のシャフトにより結合され、第１のシャフトの位置を支点として回動可能に構成される解除レバーと、一方の端部が解除レバーの一部と、第２のシャフトにより結合され、第２のシャフトの位置を支点として回動可能に構成される内部レバーと、内部レバーの他方の端部と係合する凸部を有し、台枠の背面に当接して台枠前ベースとともに台枠を前後から挟みつけるアームと一体に構成される台枠後ベースとが設けられ、扉が閉められるとき、フックの傾斜している面が台枠後ベースの一部と当接して、軸支されているロックレバーが回動することでフックが台枠後ベースの内部に挿入され、フックの先端部が台枠後ベースの一部に係止され、解除レバーを、第１のシャフトの位置を支点として回動させることで、台枠後ベースが台枠から取り外される。
【０００８】
従って、扉が閉められた場合、扉が不正に開かれることを防止するとともに、不測の事態においても、解除レバーを操作することで機器を破壊することなく扉を開くことができる。
【０００９】
前記凸部は、ナットの一部として構成され、台枠後ベースにナットが装着されたビスが取り付けられて固定されるようにすることができる。
【００１０】
従って、木製の台枠に対しても正確に位置決めしてハウジングをとりつけることができる。
【００１１】
前記ロックレバーの端部の位置が、シリンダ錠の開錠に伴って回動されるカムにより移動させられることでロックレバーが回動され、フックの一部の台枠後ベースの一部に対する係止が解除されるようにすることができる。
【００１２】
本発明によるハウジングは、扉に取り付けられたフック保持部の一部を、自分の一部により係止することで、閉められた扉が、自分が取り付けられる台枠に固定されて動かされないようにするハウジングであって、台枠の前面に対して固定される台枠前ベースと、台枠前ベースの一部と、第１のシャフトにより結合され、第１のシャフトの位置を支点として回動可能に構成される解除レバーと、一方の端部が解除レバーの一部と、第２のシャフトにより結合され、第２のシャフトの位置を支点として回動可能に構成される内部レバーと、内部レバーの他方の端部と係合する凸部を有し、台枠の背面に当接して台枠前ベースとともに台枠を前後から挟みつけるアームと一体に構成される台枠後ベースとを備え、扉が閉められるとき、フック保持部の一部が台枠後ベースの内部に挿入され、フック保持部の一部が台枠後ベースの一部により係止され、解除レバーを、第１のシャフトの位置を支点として回動させることで、台枠後ベースが台枠から取り外されるハウジングである。
【００１３】
本発明のハウジングにおいては、台枠の前面に対して固定される台枠前ベースと、台枠前ベースの一部と、第１のシャフトにより結合され、第１のシャフトの位置を支点として回動可能に構成される解除レバーと、一方の端部が解除レバーの一部と、第２のシャフトにより結合され、第２のシャフトの位置を支点として回動可能に構成される内部レバーと、内部レバーの他方の端部と係合する凸部を有し、台枠の背面に当接して台枠前ベースとともに台枠を前後から挟みつけるアームと一体に構成される台枠後ベースとが設けられ、扉が閉められるとき、フック保持部の一部が台枠後ベースの内部に挿入され、フック保持部の一部が台枠後ベースの一部により係止され、解除レバーを、第１のシャフトの位置を支点として回動させることで、台枠後ベースが台枠から取り外される。
【００１４】
従って、扉が閉められた場合、扉が不正に開かれることを防止するとともに、不測の事態においても、解除レバーを操作することで機器を破壊することなく扉を開くことができる。
【００１５】
前記凸部は、ナットの一部として構成され、台枠後ベースにナットが装着されたビスが取り付けられて固定されるようにすることができる。
【００１６】
従って、木製の台枠に対しても正確に位置決めしてハウジングをとりつけることができる。
【発明の効果】
【００１７】
本発明によれば、扉が不正に開かれることを防止するとともに、不測の事態においても機器を破壊することなく扉を開くことができる。
【発明を実施するための最良の形態】
【００１８】
以下に、本発明の実施の形態について図面を参照して説明する。
【００１９】
図１は、本発明を適用したロック装置の外観の例を示す斜視図である。同図に示されるロック装置１００は、例えば、遊技機などの扉が不正に開かれることがないように、遊技機など装着されるものである。この例では、遊技機の扉に固定され、扉とともに開かれる錠取付板４０１に取り付けられたシリンダ錠３００の背面に位置するように固定されたフック保持部１０１と、遊技機の台枠（本体）４０２に固定されたハウジング１０２によりロック装置１００が構成されている。
【００２０】
同図には示されていないが、遊技機の扉は、錠取付板４０１の図中右側に位置することになり、扉が開かれる場合、錠取付板４０１は、扉とともに台枠４０２から遠ざけられ、扉がしめられる場合、錠取付板４０１は、扉とともに台枠４０２に近づけられることになる。なお、同図は、錠取付板４０１が台枠４０２から遠ざけられた状態であって、扉が開かれた（閉められていない）状態におけるロック装置１００の斜視図とされる。
【００２１】
詳細については後述するが、扉が閉められることで、錠取付板４０１が台枠４０２に近づけられた場合、フック保持部１０１の内部にあるフックが、ハウジング１０２の内部のキーパー部に係止することにより錠取付板４０１とともに扉が閉められた状態で固定される。そして、シリンダ錠３００を開錠することで、フックのキーパー部に対する係止が解除されるように構成されている。
【００２２】
図２は、錠取付版４０１が台枠４０２に近づけられて扉が閉められた状態におけるロック装置１００の外観の例を示す斜視図である。同図においては、扉が閉められたことにより、フック保持部１０１と、ハウジング１０２とが当接する状態とされる。同図では図示されていないが、この状態のとき、ハウジング１０２の内側において、上述したように、フック保持部１０１の内部にあるフックが、ハウジング１０２の内部のキーパー部に係止している。したがって、扉を無理に開こうとしてもフック保持部１０１のフックと、ハウジング１０２のキーパー部とが係止しているため錠取付板４０１を台枠４０２から遠ざけることができず、扉を開くことができない。
【００２３】
図３は、フック保持部１０１の構成を示す図である。同図に示されるように、フック保持部１０１は、錠取付板４０１に固定されるためのビスが挿入されるビス穴１６１ａを有するアーム１６１と一体として構成されるベース１５１、上述したキーパー部に係止するフック１２２と一体として構成されるロックレバー１２１、ロックレバー１２１を付勢するバネ１４１、およびロックレバー１２１とバネ１４１とを覆うようにしてベース１５１に取り付けられるカバー１３１により構成されている。
【００２４】
ロックレバー１２１は、図中左側のハウジング１０２に挿入される部分がハウジングに対して傾斜する面となるような形状を有するフック１２２として構成され、自身の中央の穴１２１ａにベース１５１のシャフト１５２を貫通させることにより、図中右側の端部１２３がシリンダ錠３００の背面のカムに当接するように取り付けられる。すなわち、ロックレバー１２１は、穴１２１ａを軸として回動可能となるように取り付けられ、端部１２３が図中上方向に移動させられた場合、フック１２２が図中下方向に移動する。
【００２５】
なお、扉が完全に閉められた場合、フック１２２の穴１２１ａの図中左側に位置する凹み形状端面がハウジング１０２のキーパー部により係止されることになる。
【００２６】
バネ１４１は、自身の中央にベース１５１のシャフト１５２を貫通させ、かつ円形に構成された端部１４１ａを、ベース１５１のピン１５３に係合させるように取り付けられることで、端部１４１ｂがロックレバー１２１の端部１２３を、図中下側に付勢するようになされている。
【００２７】
そして、カバー１３１の穴１３１ａにベース１５１のシャフト１５２の先端部が嵌合するように、カバー１３１がベース１５１に取り付けられる。
【００２８】
フック保持部１０１においては、ロックレバー１２１がベース１５１とカバー１３１とで覆われるため、例えば、針金などを錠取付板４０１と台枠４０２の間に差し込んでロックレバー１２１を操作するという不正行為ができないように構成されている。
【００２９】
図４は、ハウジング１０２の構成を示す図である。同図において、台枠前ベース２０１は、台枠４０２の前面（錠取付板４０１と当接する面）に面２０１ａが当接するように、例えば、ビスなどで台枠４０２に固定されて取り付けられる。台枠前ベース２０１の図中左側の端部であって、鉤状の形状を有する端部２０１ｄと２０１ｅには、シャフト２５１と２５２がそれぞれ保持される。
【００３０】
解除レバー２４１は、後述するように、ハウジング１０２を台枠４０２から取り外すとき操作されるレバーであって、図中右側の穴２４１ａと２４１ｂに、それぞれシャフト２５１と２５２が挿入される。すなわち、台枠前ベース２０１と解除レバー２４１とは、シャフト２５１と２５２により結合されることになり、台枠前ベース２０１、解除レバー２４１、およびシャフト２５１と２５２によりヒンジが構成されることになる。
【００３１】
また、解除レバー２４１の図中左側の穴２４１ｃには、シャフト２５３が挿入され、同図には図示されないが、穴２４１ｃの反対側の穴２４１ｄに、シャフト２５４が挿入される。シャフト２５３とシャフト２５４とは、それぞれ内部レバー２３１と２３２の穴２３１ｂと２３２ｂとを貫通するように取り付けられる。従って、シャフト２５３とシャフト２５４により、内部レバー２３１と２３２のそれぞれが解除レバー２４１に結合されることになるが、穴２３１ｂと２３２ｂの内部に、それぞれシャフト２５３と２５４が挿入された状態で、内部レバー２３１と２３２は、それぞれ穴２３１ｂと２３２ｂを支点として回動可能となるように取り付けられる。
【００３２】
内部レバー２３１と２３２の図中右側の穴２３１ａと２３２ａには、それぞれナット２１４と２１６の凸部２１４ａと２１６ａが係合するように構成されている。ナット２１４と２１６は、それぞれ台枠後ベース２１１のビス穴２１５と２１７に挿入されるビス２２１と２２２により位置が固定されて取り付けられる。従って、ナット２１４と２１６により、内部レバー２３１と２３２のそれぞれが台枠後ベース２１１に結合されることになるが、穴２３１ａと２３２ａと、凸部２１４ａと２１６ａとが係合した状態で、内部レバー２３１と２３２は、それぞれ穴２３１ａと２３２ａを支点として回動可能となるように取り付けられる。
【００３３】
台枠後ベース２１１は、アーム２１２および２１３と一体として構成され、アーム２１２の面２１２ａと２１３ａがそれぞれ台枠４０２の背面（錠取付板４０１と当接する面の反対側の面）と当接するように取り付けられる。なお、台枠後ベース２１１は、台枠前ベース２０１の場合と異なり、台枠４０２にビスなどで固定されるものではない。
【００３４】
台枠後ベース２１１は、内部レバー２３１と２３２、および解除レバー２４１を介して台枠前ベース２０１と結合している。従って、内部レバー２３１と台枠後ベース２１１との位置を特定するナット２１４または２１６が装着された状態のビス２２１または２２２の位置が適切に調整されることにより、台枠後ベース２１１のアーム２１２および２１３の面２１２ａおよび２１３ａと、台枠前ベース２０１の面２０１ａが台枠４０２を前後から強く挟み込むことで台枠後ベース２１１も所定の位置で固定された状態となる。
【００３５】
遊技機の台枠は木製のものが多く、台枠前ベース２０１と台枠後ベース２１１との間の距離を、台枠後ベース２１１のアーム２１２および２１３の面２１２ａおよび２１３ａと、台枠前ベース２０１の面２０１ａの間に台枠４０２が入るだけの距離であって、かつ台枠後ベース２１１が所定の位置で固定されるのに充分な力で台枠４０２を前後から挟み込むのに適切な距離となるように予め位置決めしておくことは困難である。本発明のロック装置１００においては、ビス２２１または２２２を調整することにより、面２１２ａおよび２１３ａと面２０１ａとの間の距離を自在に変更することができるので、より利便性が高く、かつ品質の高いロック装置を提供することが可能となる。
【００３６】
次に、ロック装置１００が取り付けられた遊技台における扉の開閉について説明する。
【００３７】
図５は、ロック装置１００が取り付けられた遊技台において、錠取付板４０１が台枠４０２から遠ざけられており、扉が開かれた状態の例を示す図である。なお、同図においては便宜上、台枠後ベース２１１の内部が透視できるように表現されている。いまの状態では、ロックレバー１２１の端部１２３が操作されていないので、フック１２２は、図中下方向に移動していない。
【００３８】
このまま錠取付板４０１を台枠４０２に近づけていくと、フック１２２は、台枠後ベース２１１の内部に挿入されていくことになるが、台枠後ベース２１１において、錠取付板４０１側の図中右側上部にフック１２２を係止するためのキーパー部２１１ａが設けられている。フック１２２は、図３を参照して上述したようにキーパー部２１１ａにより係止される端部に至る面が傾斜を有する構成とされている。このため、このまま錠取付板４０１を台枠４０２に近づけていくと、フック１２２の前部（穴１２１ａから遠い部分）は、キーパー部２１１ａに当接することなく台枠後ベース２１１の内部に挿入されていくが、フック１２２の後部（穴１２１ａに近い部分）は、キーパー部２１１ａに当接してしまう。
【００３９】
フック１２２の後部が、キーパー部２１１ａに当接した状態からさらに錠取付板４０１を台枠４０２に近づけようとした場合、自身の傾斜面に沿ってフック１２２が序々に図中下方向に押圧されていくことになる。このとき、ロックレバー１２１が穴１２１ａを軸として回動することになり、端部１２３は、バネ１４１の付勢に逆らって図中上方向に移動することになる。
【００４０】
そして、錠取付板４０１を台枠４０２にさらに近づけられて、扉が完全に閉められた状態となったとき、フック１２２の後部がキーパー部２１１ａを通り過ぎてフック１２２が完全に台枠後ベース２１１の内部に挿入される。
【００４１】
すなわち、フック１２２の後部が、キーパー部２１１ａに当接した状態からさらに錠取付板４０１を台枠４０２に近づけられると、上述したようにフック１２２が序々に図中下方向に押圧されていくが、扉が完全に閉められるとともにフック１２２がさらに図中左側に移動した場合、もはやフック１２２の後部は、キーパー部２１１ａにより押圧されない位置にあるので、端部１２３の位置がバネ１４１の付勢により図中下方向に戻り、それに伴って、フック１２２も図中上方向に移動することになる。このようにして、フック１２２がキーパー部２１１ａにより係止される。
【００４２】
図６は、ロック装置１００が取り付けられた遊技台において扉が完全に閉められた状態の例を示す図である。なお、同図においては便宜上、台枠後ベース２１１の内部が透視できるように表現されている。同図に示されるように、扉とともに錠取付板４０１が完全に閉められた状態では、フック１２２の後側の端部が台枠後ベース２１１の内側に位置して、フック１２２がキーパー部２１１ａにより係止されるようになされている。
【００４３】
フック１２２がキーパー部２１１ａにより係止された状態では、例えば、扉を無理に引くなどしても、錠取付板４０１が台枠４０２から離れることはない。
【００４４】
なお、台枠後ベース２１１により、内部に挿入されたフック１２２が覆われるため、例えば、針金などを錠取付板４０１と台枠４０２の間に差し込んでフック１２２を操作することができないようになされている。
【００４５】
図６に示される状態から、扉を開く場合、ユーザは所定の鍵などを用いてシリンダ錠３００を開錠する。例えば、シリンダ錠３００に正規の鍵が挿入されて回動されると、シリンダ錠３００の内部の内周シリンダが鍵の回動に伴って回動し、内周シリンダの回動に伴って、シリンダ錠３００の背面のカム３１１も回動させられる。
【００４６】
図７は、ロック装置１００が取り付けられた遊技台において扉が完全に閉められた状態であって、シリンダ錠３００が開錠された場合の例を示す図である。なお、同図においては便宜上、台枠後ベース２１１の内部が透視できるように表現されている。
【００４７】
同図に示されるように、シリンダ錠３００が開錠されたことにより、シリンダ錠３００の背面のカム３１１も回動されている。この例では、カム３１１が図６に示される状態から反時計回りに回動させられている。そして、カム３１１の回動に伴って、ロックレバー１２１の端部１２３がカム３１１の一部と当接して、図中上方向に移動している。このとき、ロックレバー１２１が穴１２１ａを軸として回動することになり、フック１２２は、バネ１４１の付勢に逆らって図中下方向に移動することになる。これにより、フック１２２のキーパー部２１１ａに対する係止が解除させられる。
【００４８】
シリンダ錠３００が開錠されてフック１２２のキーパー部２１１ａに対する係止が解除させられた場合、錠取付板４０１を台枠４０２から遠ざけること、すなわち扉を開くことが可能となる。図８は、図７に示される状態から扉が再び開かれた状態の例を示す図である。なお、同図においては便宜上、台枠後ベース２１１の内部が透視できるように表現されている。
【００４９】
このように、本発明のロック装置１００によれば、扉が完全に閉められた後、扉を動かすことができなくなるので、扉と台枠の固定位置においてガタが発生しなくなり、その結果、遊技機などが不正に操作されることが抑止される。
【００５０】
また、扉を開く場合、シリンダ錠を開錠する操作以外は必要ないので、ユーザの利便性を損なうことなく、遊技機などが不正に操作されることが抑止されるようにすることが可能となる。
【００５１】
ところで、近年では遊技機が不正に操作されることなどがないようにシリンダ錠などを取り付けて扉の開施錠を制御することが一般的になっているが、実際に業務を営む遊技場などにおいては、例えば、シリンダ錠の故障や鍵の破損など不測の事態が発生することもあり得、このような不測の事態が発生した場合、扉の開施錠を行うシリンダ錠が開錠できなくなってしまう。シリンダ錠の施錠に加えてさらなる安全のためにロック装置１００のように、扉が施錠された状態で固定される機構を取り付けた遊技台などにおいては、シリンダ錠が開錠できなくなってしまった場合、遊技台の一部を破壊するなどしなければ扉を開くことができなくなってしまう。
【００５２】
このように、遊技機の安全性を高める機構を取り付けると、シリンダ錠の故障や鍵の破損など不測の事態が発生した場合、遊技機の稼動を継続することができなくなるおそれがある。そこで、本発明のロック装置１００においては、不測の事態が発生した場合など非常時に、ハウジング１０２を台枠４０２から取り外すことが可能となるように構成されている。すなわち、本発明のロック装置１００が取り付けられた遊技台においては、非常時にハウジング１０２を台枠４０２から取り外して扉を開くことができる。
【００５３】
遊技場に設置される遊技機は、通常いわゆる島として並べられて設置されるが、隣接する遊技機の間には、例えば、メダルの販売機などの装置が挿入されており、遊技場の管理者などが必要に応じてメダルの販売機などの装置を取り外すことが可能となるようになされている。従って、遊技機の扉が開けない状態であっても、その遊技機と隣接する遊技機の隙間から、遊技機の背面に手を伸ばすことなどは可能である。
【００５４】
本発明のロック装置１００が取り付けられた遊技台において、非常時に扉を開く場合、図９に示されるように、例えば、隣接する遊技機の隙間などから、解除レバー２４１を、矢印５０１の方向に押し上げる操作を行う。
【００５５】
図１０は、図９に示される状態において、便宜上、解除レバー２４１の内部が透視できるように表現された図である。同図に示されるように、解除レバー２４１の内部には、内部レバー２３１が配置されている。また、同図には、図示されていないが、解除レバー２４１の図中下側の内部には、内部レバー２３２が配置されている。
【００５６】
上述したように、穴２３１ａ（２３２ａ）と、凸部２１４ａ（２１６ａ）とが係合した状態で、内部レバー２３１（２３２）は、穴２３１ａ（２３２ａ）を支点として回動可能となるように取り付けられており、また、台枠前ベース２０１、解除レバー２４１、およびシャフト２５１と２５２によりヒンジが構成されるので、解除レバー２４１に対して、図９の矢印５０１の方向に一定以上の力が加えられた場合、解除レバー２４１は、シャフト２５１（２５２）が挿入された穴２４１ａ（２４１ｂ）の位置を支点として図中左側の端部が台枠４０２から浮き上がるように押し上げられることになる。
【００５７】
図１１は、図９に示される状態から、上述したように解除レバー２４１が、シャフト２５１（２５２）が挿入された穴２４１ａ（２４１ｂ）を支点として図中左側の端部押し上げられた場合の例を示す図である。
【００５８】
上述したように、台枠後ベース２１１は、台枠４０２にビスなどで固定されるものではなく、内部レバー２３１と２３２、および解除レバー２４１を介して台枠前ベース２０１側に引っ張られ、台枠後ベース２１１のアーム２１２および２１３と、台枠前ベース２０１（面２０１ａ）が台枠４０２を前後から挟み込むことで台枠後ベース２１１も所定の位置で固定された状態とされる。
【００５９】
台枠後ベース２１１は、内部レバー２３１と２３２、および解除レバー２４１を介して台枠前ベース２０１と結合しているので、図１１に示されるように、解除レバー２４１が、シャフト２５１（２５２）が挿入された穴２４１ａ（２４１ｂ）を支点として図中左側の端部押し上げられた状態では、台枠後ベース２１１の台枠前ベース２０１に対する結合が緩やかなものとなり、台枠後ベース２１１は、もはや所定の位置で固定されるのに充分な力で台枠前ベース２０１側に引っ張られることはない。従って、図１１に示される様態では、台枠後ベース２１１を、簡単に台枠４０２から取り外すことが可能となる。
【００６０】
次に、非常時に解除レバー２４１が操作されて扉が開かれる場合の例について図１２乃至１７を参照してさらに詳細に説明する。
【００６１】
図１２は、扉４０３が閉められている状態のロック装置１００の例を示す図であって、図１０に示されるロック装置１００を、遊技台の上方向からみた図である。なお、同図は、便宜上、解除レバー２４１の内部が透視できるように表現された図である。
【００６２】
いまの場合、まだ解除レバー２４１は操作されていないので、内部レバー２３１（または２３２）は、解除レバー２４１と平行な状態とされている。図１２に示される状態のときは、台枠後ベース２１１は、充分な力で台枠前ベース２０１側に引っ張られているので、台枠後ベース２１１のアーム２１２（または２１３）と台枠前ベース２０１の面２０１ａにより台枠４０２が強く挟みつけられて台枠後ベース２１１が所定の位置で固定された状態となり、台枠４０２から台枠後ベース２１１を取り外すことはできない。
【００６３】
非常時に扉４０３を開く場合、解除レバー２４１の図中下側の端部を、図中右側に押し上げる操作を行う。これにより、図１３に示されるように、解除レバー２４１は、シャフト２５１の位置を支点として図中下側の端部が図中右側に移動した状態になる。また、図１３に示される状態においては、解除レバー２４１が押し上げられたことにより、内部レバー２３１も、穴２３１ａの位置を支点として図中下側の端部が図中右側に移動している。
【００６４】
上述したように、解除レバー２４１は、シャフト２５１により台枠前ベース２０１に結合されており、内部レバー２３１は、シャフト２５３により内部レバー２３１と結合されている。そして、台枠後ベース２１１は、ビス２１１とナット２１４により内部レバー２３１と結合している。従って、内部レバー２３１が解除レバー２４１と平行な状態においては、台枠後ベース２１１の図中上下方向の位置が、台枠前ベース２０１の図中上下方向に位置から所定の距離だけ離れた位置に固定される。すなわち、図１２に示される状態においては、アーム２１２と一体に構成された台枠後ベース２０１の図中上下方向の位置を、これ以上下側に移動させることはできない。
【００６５】
内部レバー２３１が解除レバー２４１と平行な状態においては、ビス２１１の位置が適切に調整されることにより、アーム２１２と台枠前ベース２０１の面２０１ａにより台枠４０２が強く挟みつけられていることになる。
【００６６】
一方、図１３に示される状態においては、内部レバー２３１が、穴２３１ａの位置を支点として図中下側の端部が図中右側に移動したことにより、台枠前ベース２０１の図中上下方向の位置に対する台枠後ベース２１１の図中上下方向の位置も異なるものとなり、その結果、台枠後ベース２１１の位置を、図１２の場合と比較してやや図中下方向に移動させることが可能になる。すなわち、図１３に示される状態においては、アーム２１２と台枠前ベース２０１の面２０１ａにより台枠４０２が強く挟みつけられることはなく、もはや台枠後ベース２１１が所定の位置で固定された状態とはいえない。
【００６７】
そして、図１３に示される状態から、例えば、図１４に示されるように台枠後ベース２１１を、台枠４０２から取り外すことが可能となる。図１４の例では、図中右方向に台枠後ベース２１１が移動させられることで台枠４０２から取り外されている。
【００６８】
このように、台枠後ベース２１１を、図中右方向に移動させることにより、上述したキーパー部２１１ａに対するフック１２２の係止を解除させることができるので、図１５に示されるように、扉４０３を開く（扉４０３を台枠４０２から遠ざける）ことができる。
【００６９】
しかしながら、遊技機の内部には、各種の部品等が数多く配置されているため、遊技機の機種によっては図１４または図１５の例のように、台枠後ベース２１１を、図中右方向に移動させるのに充分なスペースがないこともある。
【００７０】
このような場合、例えば、図１６に示されるように、台枠後ベース２１１の図中下側（アーム２１２側）のみを、図中右方向に移動させるようにしてもよい。図１６の例では、キーパー部２１１ａに対するフック１２２の係止を解除させることはできないが、アーム２１２が台枠４０２と当接しない位置まで図中右方向に移動させられている。
【００７１】
図１６に示されるように、アーム２１２が台枠４０２と当接しない位置まで図中右方向に移動させられれば、図１７に示されるように、扉４０３に固定されているフック保持部１０１とともに、台枠後ベース２１１が図中上方向に移動させられて扉４０３が開かれるようにすることができる。このようにすることで、遊技機の内部のスペースが小さい場合であっても、非常時に解除レバー２４１を操作して扉４０３を開くことが可能となる。
【図面の簡単な説明】
【００７２】
【図１】本発明を適用したロック装置の外観の例を示す斜視図である。
【図２】扉が閉められた状態における図１のロック装置の外観の例を示す斜視図である。
【図３】フック保持部の構成を示す図である。
【図４】ハウジングの構成を示す図である。
【図５】扉が閉められる場合のロック装置の動作を説明する図である。
【図６】扉が閉められる場合のロック装置の動作を説明する図である。
【図７】シリンダ錠が開錠された場合のロック装置の動作を説明する図である。
【図８】扉が開かれる場合のロック装置の動作を説明する図である。
【図９】非常時に扉を開く場合の例を説明する図である。
【図１０】図９の解除プレートの内部が透視できるように表現された図である。
【図１１】解除レバーが押し上げられた状態のロック装置の例を示す図である。
【図１２】非常時に扉を開く操作を説明する図である。
【図１３】非常時に扉を開く操作を説明する図である。
【図１４】非常時に扉を開く操作を説明する図である。
【図１５】非常時に扉を開く操作を説明する図である。
【図１６】非常時に扉を開く操作を説明する図である。
【図１７】非常時に扉を開く操作を説明する図である。
【符号の説明】
【００７３】
１００  ロック装置，
１０１  フック保持部，
１０２  ハウジング，
１２１  ロックレバー，
１２２  フック，
１２３  端部，
１３１  カバー，
１４１  バネ，
１５１  ベース，
２０１  台枠前ベース，
２１２  台枠後ベース，
２１４，２１６  ナット，
２２１，２２２  ビス，
２３１，２３２  内部レバー，
２４１  解除レバー，
３００  シリンダ錠，
３１１  カム，
４０１  錠取付板，
４０３  扉，
４０２  台枠
【図１】
2007289264.tif 000003
【図２】
2007289264.tif 000004
【図３】
2007289264.tif 000005
【図４】
2007289264.tif 000006
【図５】
2007289264.tif 000007
【図６】
2007289264.tif 000008
【図７】
2007289264.tif 000009
【図８】
2007289264.tif 000010
【図９】
2007289264.tif 000011
【図１０】
2007289264.tif 000012
【図１１】
2007289264.tif 000013
【図１２】
2007289264.tif 000014
【図１３】
2007289264.tif 000015
【図１４】
2007289264.tif 000016
【図１５】
2007289264.tif 000017
【図１６】
2007289264.tif 000018
【図１７】
2007289264.tif 000019